(57)【要約】【課題】  クラウン型補綴物を築造後、新たに治療の必要性が発生した場合において、ドリルを容易かつ正確にガタパーチャポイントまで到達させることができるクラウン型補綴物の支台築造用グラスファイバー製ポストコアの提供。【解決手段】  多数の無色若しくは白色系グラスファイバーを長手向に配列成型したクラウン型補綴物の支台築造用グラスファイバー製ポストコア３であって、グラスファイバーの少なくとも１本が他の無色若しくは白色系グラスファイバー３１とは異なる色のグラスファイバー３２で構成されている。【選択図】      図２
2015198885.tif 000002
【特許請求の範囲】
【請求項１】
多数の無色若しくは白色系グラスファイバーを長手向に配列成型したクラウン型補綴物の支台築造用グラスファイバー製ポストコアであって、
前記グラスファイバーの少なくとも１本が他の無色若しくは白色系グラスファイバーとは異なる色のグラスファイバーで構成されていることを特徴とするクラウン型補綴物の支台築造用グラスファイバー製ポストコア。
【請求項２】
請求項１記載のクラウン型補綴物の支台築造用グラスファイバー製ポストコアにおいて、
前記グラスファイバーの少なくとも１本がレジンの光重合を妨げない色であることを特徴とするクラウン型補綴物の支台築造用グラスファイバー製ポストコア。
【請求項３】
多数の無色若しくは白色系グラスファイバーを長手方向に配列成型したクラウン型補綴物の支台築造用グラスファイバー製ポストコアであって、
前記クラウン型補綴物の支台築造用グラスファイバー製ポストコアの外周面の一部に長手方向に沿って無色若しくは白色系グラスファイバーとは異なる色の線を有することを特徴とするクラウン型補綴物の支台築造用グラスファイバー製ポストコア。
【請求項４】
請求項３記載のクラウン型補綴物の支台築造用グラスファイバー製ポストコアにおいて、
前記クラウン型補綴物の支台築造用グラスファイバー製ポストコアの外周面の一部に長手方向に沿って有する線の色がレジンの光重合を妨げない色であることを特徴とするクラウン型補綴物の支台築造用グラスファイバー製ポストコア。
【発明の詳細な説明】
【技術分野】
【０００１】
本発明は、クラウン型補綴物の支台築造用グラスファイバー製ポストコアに関する。
【背景技術】
【０００２】
従来、歯科治療において虫歯治療を終えた残存歯にクラウン型補綴物を築造する場合、図６に示すように、残存歯１に開けた穴１１内に支台築造用レジン２を流し込み、そこに支台築造用グラスファイバー製ポストコア３をその先端が残存歯１のガタパーチャポイント１２まで差し込んで植立し、必要に応じて支台築造用レジンを用いて支台４に当たる部分を築盛し、支台４とクラウン型補綴物６の間の接着剤用スペース１３にコンポージットレジン５を充填することで、支台４にクラウン型補綴物６を被せて接合する（例えば特許文献１参照）。
また、クラウン型補綴物６の支台築造用グラスファイバー製ポストコア３は、多数の無色若しくは白色系グラスファイバーを長手向に配列成型した構成となっている。
【先行技術文献】
【特許文献】
【０００３】
【特許文献１】特開２００４−６５５７９号公報
【発明の概要】
【発明が解決しようとする課題】
【０００４】
しかしながら、従来例のクラウン型補綴物６の支台築造用グラスファイバー製ポストコア３にあっては、クラウン型補綴物６の内部が黒くくすんで見えないように、多数の無色若しくは白色系グラスファイバーを長手向に配列成型した構成であるため、以下のような問題点があった。
すなわち、クラウン型補綴物６を築造した後に、新たに治療の必要性が発生した場合、支台４からクラウン型補綴物６を取り外し、支台築造用グラスファイバー製ポストコア３をドリルで削ってガタパーチャポイント１２まで穴１１を開ける必要がある。
【０００５】
ところが、支台築造用グラスファイバー製ポストコア３の口径が１．４ｍｍ程度と極めて細いため、これより細いドリルで正確にガタパーチャポイント１２まで到達させる作業は極めて神経を使う困難な作業であり、さらに、支台築造用グラスファイバー製ポストコア３と支台築造用レジン２が同系色であるため、この支台築造用レジン２を突き抜けて残存歯１を傷付けるおそれがあるという問題点があった。
【０００６】
本発明の解決しようとする課題は、クラウン型補綴物を築造後、新たに治療の必要性が発生した場合において、ドリルを容易かつ正確にガタパーチャポイントまで到達させることができるクラウン型補綴物の支台築造用グラスファイバー製ポストコアを提供することにある。
【課題を解決するための手段】
【０００７】
上記課題を解決するため請求項１記載のクラウン型補綴物の支台築造用グラスファイバー製ポストコアは、多数の無色若しくは白色系グラスファイバーを長手向に配列成型したクラウン型補綴物の支台築造用グラスファイバー製ポストコアであって、
前記グラスファイバーの少なくとも１本が他の無色若しくは白色系グラスファイバーとは異なる色のグラスファイバーで構成されていることを特徴とする手段とした。
【０００８】
また、請求項２記載のクラウン型補綴物の支台築造用グラスファイバー製ポストコアは、請求項１記載のクラウン型補綴物の支台築造用グラスファイバー製ポストコアにおいて、
前記グラスファイバーの少なくとも１本がレジンの光重合を妨げない色であることを特徴とする手段とした。
【０００９】
また、請求項３記載のクラウン型補綴物の支台築造用グラスファイバー製ポストコアは、多数の無色若しくは白色系グラスファイバーを長手方向に配列成型したクラウン型補綴物の支台築造用グラスファイバー製ポストコアであって、
前記クラウン型補綴物の支台築造用グラスファイバー製ポストコアの外周面の一部に長手方向に沿って無色若しくは白色系グラスファイバーとは異なる色の線を有することを特徴とする手段とした。
【００１０】
また、請求項４記載のクラウン型補綴物の支台築造用グラスファイバー製ポストコアは、請求項３記載のクラウン型補綴物の支台築造用グラスファイバー製ポストコアにおいて、
前記クラウン型補綴物の支台築造用グラスファイバー製ポストコアの外周面の一部に長手方向に沿って有する線の色がレジンの光重合を妨げない色であることを特徴とする手段とした。
【発明の効果】
【００１１】
請求項１記載のクラウン型補綴物の支台築造用グラスファイバー製ポストコアでは、上述のように、グラスファイバーの少なくとも１本が他の無色若しくは白色系グラスファイバーとは異なる色のグラスファイバーで構成されたことで、まずこの異なる色のグラスファイバーに沿ってドリルで掘り進むことで、残存歯を傷つけることなく、ドリルを容易かつ正確にガタパーチャポイントまで到達させることができるようになる。
【００１２】
請求項２記載のクラウン型補綴物の支台築造用グラスファイバー製ポストコアでは、上述のように、グラスファイバーの少なくとも１本をレジンの光重合を妨げない色とすることで、支台築造用レジンや支台築造レジン等を光重合器で硬化させる際にレジンの光硬化の促進作用の障害となることがない。
【００１３】
請求項３記載のクラウン型補綴物の支台築造用グラスファイバー製ポストコアでは、上述のように、クラウン型補綴物の支台築造用グラスファイバー製ポストコアの外周面の一部に長手方向に沿って無色若しくは白色系グラスファイバーとは異なる色の線を有する構成とすることで、まずこの異なる色の線に沿ってドリルで掘り進むことで、残存歯を傷つけることなく、ドリルを容易かつ正確にガタパーチャポイントまで到達させることができるようになる。
【００１４】
請求項４記載のクラウン型補綴物の支台築造用グラスファイバー製ポストコアでは、上述のように、クラウン型補綴物の支台築造用グラスファイバー製ポストコアの外周面の一部に長手方向に沿って有する線の色彩をレジンの光重合を妨げない色とすることで、支台築造用レジンや支台築造レジン等を光重合器で硬化させる際にレジンの光硬化の促進作用の障害となることがない。
【図面の簡単な説明】
【００１５】
【図１】実施例１のクラウン型補綴物の支台築造用グラスファイバー製ポストコアを示す正面図である。
【図２】実施例１のクラウン型補綴物の支台築造用グラスファイバー製ポストコアを示す拡大平面図である。
【図３】図１のＳ３−Ｓ３線における拡大断面図である。
【図４】実施例２のクラウン型補綴物の支台築造用グラスファイバー製ポストコアを示す正面図である。
【図５】実施例２のクラウン型補綴物の支台築造用グラスファイバー製ポストコアを示す拡大平面図である。
【図６】クラウン型補綴物の築造構造を示す拡大縦断面図である。
【発明を実施するための形態】
【００１６】
以下にこの発明の実施例を図面に基づいて説明する。
【実施例１】
【００１７】
まず、この実施例１のクラウン型補綴物の支台築造用グラスファイバー製ポストコアを図面に基づいて説明する。
【００１８】
この実施例１のクラウン型補綴物の支台築造用グラスファイバー製ポストコア３は、図１〜３に示すように、多数の無色若しくは白色系グラスファイバー３１を長手向に配列成型したもので、図２、３に示すように、グラスファイバー３１の少なくとも１本が他の無色若しくは白色系グラスファイバーとは異なる色のグラスファイバー３２で構成されている。
【００１９】
また、前記他の無色若しくは白色系グラスファイバー３１とは異なる色として、レジンの光重合を妨げない色とした。
【００２０】
次に、この実施例１の効果を説明する。
【００２１】
この実施例１のクラウン型補綴物の支台築造用グラスファイバー製ポストコア３では、上述のように、支台築造用グラスファイバー製ポストコア３を構成するグラスファイバーの少なくとも１本が他の無色若しくは白色系グラスファイバー３１とは異なる色のグラスファイバー３２で構成されたことで、まずこの異なる色のグラスファイバー３２に沿ってドリルで掘り進むことで、残存歯１を傷つけることなく、ドリルを容易かつ正確にガタパーチャポイント１２まで到達させることができるようになる。
【００２２】
また、上述のように、支台築造用グラスファイバー製ポストコア３を構成するグラスファイバーの少なくとも１本のグラスファイバー３２の色をレジンの光重合を妨げない色とすることで、支台築造用レジン２や支台４築造レジン等を光重合器で硬化させる際にレジンの光硬化の促進作用の障害となることがない。
【００２３】
次に、他の実施例について説明する。この他の実施例の説明にあたっては、前記実施例１と同様の構成部分については図示を省略し、もしくは同一の符号を付けてその説明を省略し、相違点についてのみ説明する。
【実施例２】
【００２４】
この実施例２のクラウン型補綴物の支台築造用グラスファイバー製ポストコアは、図４、５に示すように、多数の無色若しくは白色系グラスファイバー３１を長手向に配列成型したもので、クラウン型補綴物６の支台築造用グラスファイバー製ポストコア３の外周面の一部に長手方向に沿って無色若しくは白色系グラスファイバー３１とは異なる色の線３３を有する構成とした。
【００２５】
また、クラウン型補綴物６の支台築造用グラスファイバー製ポストコア３の外周面の一部に長手方向に沿って有する線の色として、レジンの光重合を妨げない色とした。
【００２６】
従って、この実施例２では、クラウン型補綴物６の支台築造用グラスファイバー製ポストコア３の外周面の一部に長手方向に沿って無色若しくは白色系グラスファイバー３１とは異なる色の線３３を有する構成とすることで、まずこの異なる色の線３３に沿ってドリルで掘り進むことで、残存歯１を傷つけることなく、ドリルを容易かつ正確にガタパーチャポイント１２まで到達させることができるようになる。
【００２７】
また、クラウン型補綴物１の支台築造用グラスファイバー製ポストコア３の外周面の一部に長手方向に沿って有する線３３の色彩を目立ちやすい赤色系とすることで、レジンの光重合を妨げない色とすることで、支台築造用レジン２や支台４築造レジン等を光重合器で硬化させる際にレジンの光硬化の促進作用の障害となることがない。
【００２８】
以上本実施例を説明してきたが、本発明は上述の実施例に限られるものではなく、本発明の要旨を逸脱しない範囲の設計変更等があっても、本発明に含まれる。
【００２９】
例えば、異なる色として、レジンの光重合を妨げない色であれば、白以外の全ての色を用いることができる。
【符号の説明】
【００３０】
１  残存歯
１１  穴
１２  ガタパーチャポイント
１３  接着剤用スペース
２  支台築造用レジン
３  支台築造用グラスファイバー製ポストコア
３１  無色若しくは白色系グラスファイバー
３２  無色若しくは白色系グラスファイバーとは異なる色のグラスファイバー
３３  無色若しくは白色系グラスファイバーとは異なる色の線
４  支台
５  コンポージットレジン
６  クラウン型補綴物
【図１】
2015198885.tif 000003
【図２】
2015198885.tif 000004
【図３】
2015198885.tif 000005
【図４】
2015198885.tif 000006
【図５】
2015198885.tif 000007
【図６】
2015198885.tif 000008
【手続補正書】
【提出日】平成26年8月25日(2014.8.25)
【手続補正１】
【補正対象書類名】特許請求の範囲
【補正対象項目名】全文
【補正方法】変更
【補正の内容】
【特許請求の範囲】
【請求項１】
多数の無色若しくは白色系グラスファイバーを長手方向に配列成型したクラウン型補綴物の支台築造用グラスファイバー製ポストコアであって、
前記クラウン型補綴物の支台築造用グラスファイバー製ポストコアの外周面の一部に長手方向に沿って無色若しくは白色系グラスファイバーとは異なる色の線を有することを特徴とするクラウン型補綴物の支台築造用グラスファイバー製ポストコア。
【請求項２】
請求項１記載のクラウン型補綴物の支台築造用グラスファイバー製ポストコアにおいて、
前記クラウン型補綴物の支台築造用グラスファイバー製ポストコアの外周面の一部に長手方向に沿って有する線の色がレジンの光重合を妨げない色であることを特徴とするクラウン型補綴物の支台築造用グラスファイバー製ポストコア。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
上記課題を解決するため請求項１記載のクラウン型補綴物の支台築造用グラスファイバー製ポストコアは、多数の無色若しくは白色系グラスファイバーを長手向に配列成型したクラウン型補綴物の支台築造用グラスファイバー製ポストコアであって、
前記クラウン型補綴物の支台築造用グラスファイバー製ポストコアの外周面の一部に長手方向に沿って無色若しくは白色系グラスファイバーとは異なる色の線を有することを特徴とする手段とした。
【手続補正５】
【補正対象書類名】明細書
【補正対象項目名】００１０
【補正方法】変更
【補正の内容】
【００１０】
また、請求項２記載のクラウン型補綴物の支台築造用グラスファイバー製ポストコアは、請求項１記載のクラウン型補綴物の支台築造用グラスファイバー製ポストコアにおいて、
前記クラウン型補綴物の支台築造用グラスファイバー製ポストコアの外周面の一部に長手方向に沿って有する線の色がレジンの光重合を妨げない色であることを特徴とする手段とした。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
請求項１記載のクラウン型補綴物の支台築造用グラスファイバー製ポストコアでは、上述のように、クラウン型補綴物の支台築造用グラスファイバー製ポストコアの外周面の一部に長手方向に沿って無色若しくは白色系グラスファイバーとは異なる色の線を有する構成とすることで、まずこの異なる色の線に沿ってドリルで掘り進むことで、残存歯を傷つけることなく、ドリルを容易かつ正確にガタパーチャポイントまで到達させることができるようになる。
【手続補正９】
【補正対象書類名】明細書
【補正対象項目名】００１４
【補正方法】変更
【補正の内容】
【００１４】
請求項２記載のクラウン型補綴物の支台築造用グラスファイバー製ポストコアでは、上述のように、クラウン型補綴物の支台築造用グラスファイバー製ポストコアの外周面の一部に長手方向に沿って有する線の色彩をレジンの光重合を妨げない色とすることで、支台築造用レジンや支台築造レジン等を光重合器で硬化させる際にレジンの光硬化の促進作用の障害となることがない。
【手続補正書】
【提出日】平成27年4月7日(2015.4.7)
【手続補正１】
【補正対象書類名】特許請求の範囲
【補正対象項目名】全文
【補正方法】変更
【補正の内容】
【特許請求の範囲】
【請求項１】
多数の無色若しくは白色系グラスファイバーを長手方向に配列成型したクラウン型補綴物の支台築造用グラスファイバー製ポストコアであって、
前記クラウン型補綴物の支台築造用グラスファイバー製ポストコアの外周面の一部に長手方向に沿って無色若しくは白色系グラスファイバーとは異なる色の線を有し、この異なる色の線はクラウン型補綴物を築造後新たに治療の必要性が発生した場合においてドリルを容易かつ正確にガタパーチャポイントまで到達させるための線であることを特徴とするクラウン型補綴物の支台築造用グラスファイバー製ポストコア。
【請求項２】
請求項１記載のクラウン型補綴物の支台築造用グラスファイバー製ポストコアにおいて、
前記クラウン型補綴物の支台築造用グラスファイバー製ポストコアの外周面の一部に長手方向に沿って有する線の色がレジンの光重合を妨げない色であることを特徴とするクラウン型補綴物の支台築造用グラスファイバー製ポストコア。
【手続補正２】
【補正対象書類名】明細書
【補正対象項目名】０００９
【補正方法】変更
【補正の内容】
【０００９】
上記課題を解決するため請求項１記載のクラウン型補綴物の支台築造用グラスファイバー製ポストコアは、多数の無色若しくは白色系グラスファイバーを長手向に配列成型したクラウン型補綴物の支台築造用グラスファイバー製ポストコアであって、
前記クラウン型補綴物の支台築造用グラスファイバー製ポストコアの外周面の一部に長手方向に沿って無色若しくは白色系グラスファイバーとは異なる色の線を有し、この異なる色の線はクラウン型補綴物を築造後新たに治療の必要性が発生した場合においてドリルを容易かつ正確にガタパーチャポイントまで到達させるための線であることを特徴とする手段とした。
【手続補正３】
【補正対象書類名】明細書
【補正対象項目名】００１０
【補正方法】変更
【補正の内容】
【００１０】
また、請求項２記載のクラウン型補綴物の支台築造用グラスファイバー製ポストコアは、請求項１記載のクラウン型補綴物の支台築造用グラスファイバー製ポストコアにおいて、
前記クラウン型補綴物の支台築造用グラスファイバー製ポストコアの外周面の一部に長手方向に沿って有する線の色がレジンの光重合を妨げない色であることを特徴とする手段とした。
【手続補正４】
【補正対象書類名】明細書
【補正対象項目名】００１３
【補正方法】変更
【補正の内容】
【００１３】
請求項１記載のクラウン型補綴物の支台築造用グラスファイバー製ポストコアでは、上述のように、クラウン型補綴物の支台築造用グラスファイバー製ポストコアの外周面の一部に長手方向に沿って無色若しくは白色系グラスファイバーとは異なる色の線を有し、この異なる色の線はクラウン型補綴物を築造後新たに治療の必要性が発生した場合においてドリルを容易かつ正確にガタパーチャポイントまで到達させるための線である構成とすることで、まずこの異なる色の線に沿ってドリルで掘り進むことで、残存歯を傷つけることなく、ドリルを容易かつ正確にガタパーチャポイントまで到達させることができるようになる。